(57)【要約】【課題】床衝撃音の遮断性能が良好で、劣化の抑制された床支持具及び床構造を提供する。【解決手段】クッション台座２６の上には、質量体４０が載置されている。クッション台座２６と質量体４０とは、固着されておらず、離間可能とされている。緩衝部材３０は、挿通穴３０Ａに支持ボルト２２が挿通されて、質量体４０上に載置される。規制板３２は、挿通穴３２Ａの雌ネジ３２Ｂに支持ボルト２２の雄ネジ２２Ｂと螺合され、緩衝部材３０の上面と当接される位置に配置される。これにより、緩衝部材３０が、質量体４０と規制板３２との間に、両者と接触しつつ配置される。【選択図】図２
2010203144.tif 000002
【特許請求の範囲】
【請求項１】
床スラブ上に配置され、弾性変形可能であって振動を減衰させる第１弾性部材と、
前記第１弾性部材上に支持され、前記第１弾性部材と反対側へ延びて床材を支持する支持部材と、
前記第１弾性部材又は前記支持部材に支持され、弾性変形可能であって振動を減衰させる第２弾性部材と、
前記第２弾性部材上に前記第２弾性部材と離間可能に支持され、前記第１弾性部材及び前記第２弾性部材の少なくとも一方の弾性変形によって変位して振動を減衰させる質量体と、
前記質量体と前記床材との間に介在された第３弾性部材と、
を備えた床支持具。
【請求項２】
前記第３弾性部材と前記床材との間に配置され、前記第３弾性部材の前記床材と近づく方向への相対移動を阻止する阻止部材、をさらに備えた請求項１に記載の床支持具。
【請求項３】
前記第３弾性部材は、前記床材への衝撃未入力時において、前記阻止部材と接触されていること、を特徴とする請求項２に記載の床支持具。
【請求項４】
床スラブと、
前記床スラブ上に配置された請求項１〜３のいずれか１項に記載の床支持具と、
を備えた床構造。
【発明の詳細な説明】
【技術分野】
【０００１】
本発明は、支持部材を介して二重床とされた床構造、及び二重床の床材を支持する床支持具に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床支持具によれば、動吸振器を用いて、床からの振動を効果的に減衰させることができる。特許文献１に記載された床支持具を採用した場合、質量体がクッション台座に接着されているため、床へ衝撃が加わった際に、慣性力により質量体にクッション台座と離れる方向への力が作用する。このとき、クッション台座と質量体とは接着されているので、質量体の接着が剥がれやすくなってしまう。また、クッション台座に引張方向の力が作用するが、一般的に、ゴム材は圧縮力よりも引張力に弱いという性質を有している。
【先行技術文献】
【特許文献】
【０００４】
【特許文献１】特開２００７−０４００９３号公報
【発明の概要】
【発明が解決しようとする課題】
【０００５】
本発明は、上記事実を考慮してなされたものであり、床衝撃音の遮断性能が良好で、劣化の抑制された床支持具及び床構造を提供することを課題とする。
【課題を解決するための手段】
【０００６】
請求項１に記載する本発明の床支持具は、床スラブ上に配置され、弾性変形可能であって振動を減衰させる第１弾性部材と、前記第１弾性部材上に支持され、前記第１弾性部材と反対側へ延びて床材を支持する支持部材と、前記第１弾性部材又は前記支持部材に支持され、弾性変形可能であって振動を減衰させる第２弾性部材と、前記第２弾性部材上に前記第２弾性部材と離間可能に支持され、前記第１弾性部材及び前記第２弾性部材の少なくとも一方の弾性変形によって変位して振動を減衰させる質量体と、前記質量体と前記床材との間に介在された第３弾性部材と、を備えている。
【０００７】
請求項１に記載する床支持具によれば、床材に振動が加わった場合、第２弾性部材上に支持された質量体が慣性力により上下動することで、振動を吸収するように第２弾性部材及び第３弾性部材を交互に弾性変形させて、床材からの振動を減衰する。減衰された振動は、さらに第１弾性部材によって減衰されて床スラブへ伝わるので、床衝撃音が良好に遮断される。
【０００８】
本発明では、質量体は、第２弾性部材と離間可能とされているので、慣性力により質量体が第２弾性部材と離れる方向へ移動しても、第２弾性部材は質量体によって引っ張られることはない。したがって、第２弾性部材の引っ張り変形に起因する劣化を抑制することができる。
【０００９】
また、本発明では、第２弾性部材と離れる方向に移動した質量体は、床材と質量体との間に介在された第３弾性部材を圧縮変形させる。これにより、効果的に振動を減衰させることができると共に、質量体と床材との衝突を防止することができる。
【００１０】
請求項２に記載する本発明の床支持具は、前記第３弾性部材と前記床材との間に配置され、前記第３弾性部材の前記床材と近づく方向への相対移動を阻止する阻止部材、をさらに備えている。
【００１１】
阻止部材で、第３弾性部材の床材と近づく方向への相対移動を阻止することにより、第３弾性部材が大きく移動して床材へ衝突することを防止することができる。
【００１２】
請求項３に記載する本発明の床支持具は、前記第３弾性部材が、前記床材への衝撃未入力時において、前記阻止部材と接触されていること、を特徴とする。
【００１３】
このように、第３弾性部材と阻止部とを接触させておくことにより、衝撃入力時に質量体と共に第３弾性部材が阻止部材へ当たることによる衝撃を抑制することができる。
【００１４】
請求項４に記載する床構造は、床スラブと、前記床スラブ上に配置された請求項１〜３のいずれか１項に記載の床支持具と、を備えている。
【００１５】
請求項４の床構造によれば、第２弾性部材への引張力がされることを阻止しつつ、床材からの床衝撃音を良好に遮断することができる。
【発明の効果】
【００１６】
以上説明したように、本発明の床支持具及び床構造によれば、床衝撃音の遮断性能を良好としつつ、劣化を防止することができる。
【図面の簡単な説明】
【００１７】
【図１】本実施形態に係る床構造の縦断面を示す断面図である。
【図２】本実施形態の床支持具を拡大した拡大断面図である。
【図３】本実施形態に係る床支持具の斜視図である。
【図４】本実施形態の床支持具の動作説明図である。
【図５】本実施形態の床支持具の変形例を示す断面図である。
【発明を実施するための形態】
【００１８】
本発明における床支持具、及び、この床支持具が適用される床構造の実施形態を図面に基づき説明する。なお、図中の矢印ＵＰは床構造における上方向を示す。
【００１９】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００２０】
（床構造及び床支持具の構成）
【００２１】
図１に示されるように、床構造１０は、躯体床となるコンクリート製の床スラブ１２と上床材１４との間に、所定の間隔で複数本並べられた床支持具１６を介在させており、床支持具１６の介在によって床スラブ１２と上床材１４との間に空間を形成して遮音効果を得る状態としている。
【００２２】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６が床下地材である。
【００２３】
なお、捨張材１４Ｂは、必ずしも必要ではなく、捨張材１４Ｂを除いた構成とすることもできる。
【００２４】
図２に示されるように、床支持具１６は、第１弾性部材としてのクッションゴム１８、支持部材としての支持ボルト２２、第２弾性部材としてのクッション台座２６、第３弾性部材としての緩衝部材３０、及び質量体４０を備えている。
【００２５】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２６】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２７】
下地パネル１４Ａの下側には、下地パネル１４Ａを支持するように、支持パネル１５が配置されている。支持パネル１５は正方形板状とされ、中央部に調整孔１５Ａが構成されている。この調整孔１５Ａに支持ボルト２２の上端部が配置される。
【００２８】
支持ボルト２２は、クッションゴム１８と反対側、すなわち、床スラブ１２と反対方向へ延びて、パネル受け部材２４及び支持パネル１５を介して上床材１４を支持している。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００２９】
図３に示すように、支持ボルト２２の先端部には、マイナスドライバを差し込むための凹部２２Ｍが形成されており、上床材１４の下地パネル１４Ａに捨張材１４Ｂ、仕上げ材１４Ｃが載せられる前の状態において、マイナスドライバを支持ボルト２２の凹部２２Ｍに差し込んで支持ボルト２２を回転させることによって、床スラブ１２からの下地パネル１４Ａの高さを調節することができるようになっている。
【００３０】
中間受け部材２０のフランジ部２０Ａの上面である受け面２０Ｃには、クッション台座２６が接着されている。すなわち、クッション台座２６の下面が受け面２０Ｃに固着されている。クッション台座２６はゴム材で構成されている。クッション台座２６と中間受け部材２０との接着は、加硫接着によって行うことができる。クッション台座２６は、円筒状とされて中央に挿入孔２６Ａが形成されており、この挿入孔２６Ａに支持ボルト２２が挿入された状態となっている。クッション台座２６は、上床材１４からの振動を減衰させるために、中間受け部材２０を介して支持ボルト２２に支持されるものであり、軟質ゴムで構成されて弾性変形可能とされる。クッション台座２６の上には、質量体４０が載置されている。
【００３１】
図３に示されるように、質量体４０は円柱形状で、設置状態での下面４０Ａの中央部に凹部４２が構成されている。凹部４２は、質量体４０の中心軸と同軸の円柱状として構成されている。
【００３２】
質量体４０には、凹部４２の中央部から質量体４０の上面４０Ｂ側にかけて、支持孔４２Ａが構成されている。質量体４０は、凹部４２側から支持孔４２Ａに支持ボルト２２を挿通して、クッション台座２６上に載置され、支持されている。質量体４０によって、クッション台座２６には、圧縮方向の荷重が作用している。クッション台座２６と質量体４０とは、固着されておらず、離間可能とされている。
【００３３】
上記の設置状態において、クッション台座２６は、凹部４２内に収納される。これにより、クッション台座２６の厚みを質量体４０で吸収することができ、床支持具１６の高さを低くすることができる。質量体４０の上には、緩衝部材３０が載置されている。
【００３４】
図３に示されるように、緩衝部材３０は、円柱形状で、中央部に挿通穴３０Ａが構成されている。緩衝部材３０は、ゴム材で構成されている。緩衝部材３０の質量体４０と逆側面には、円板状の規制板３２が配置されている。
【００３５】
規制板３２の中央部には、挿通穴３２Ａが構成されており、挿通穴３２Ａの内周面には、支持ボルト２２の雄ネジ部２２Ｂと螺合可能な雌ネジ３２Ｂが構成されている。規制板３２は、金属、樹脂などで構成することができる。
【００３６】
緩衝部材３０は、挿通穴３０Ａに支持ボルト２２が挿通されて、質量体４０上に載置される。緩衝部材３０は質量体４０と固着されていない。規制板３２は、挿通穴３２Ａの雌ネジ３２Ｂに支持ボルト２２の雄ネジ２２Ｂと螺合され、緩衝部材３０の上面と当接される位置に配置される。これにより、緩衝部材３０が、質量体４０と規制板３２との間に、両者と接触しつつ配置される。
【００３７】
質量体４０は、クッション台座２６の弾性変形、及び、緩衝部材３０の弾性変形によって変位して上床材１４からの振動を減衰させるようになっており、クッション台座２６及び質量体４０は、上床材１４から床スラブ１２への振動に対して動吸振器として機能する。
【００３８】
（本実施形態の施工手順）
【００３９】
次に、図２に示される床支持具１６を用いて二重床の床構造１０を構成する際の施工手順について説明する。
【００４０】
まず、一体化されたクッションゴム１８、中間受け部材２０、及び、クッション台座２６を、クッションゴム１８を下にして床スラブ１２上に設置する。
【００４１】
次に、パネル受け部材２４の円筒部２４Ｂを、支持パネル１５の調整孔１５Ａへ圧入し、鍔部２４Ａ上に支持パネル１５を配置して、パネル受け部材２４に支持パネル１５を固着する。
【００４２】
次に、クッション台座２６の挿入孔２６Ａに支持ボルト２２を上方から挿入し、支持ボルト２２の雄ネジ部２２Ａを中間受け部材２０の雌ネジ部２０Ｂに螺合させて取り付け、直立させる。
【００４３】
次に、質量体４０の支持孔４２Ａに下側から支持ボルト２２を挿通して、質量体４０をクッション台座２６上に載置して、クッション台座２６上に質量体４０を支持する。
【００４４】
次に、緩衝部材３０の挿通穴３０Ａに支持ボルト２２を挿通して、緩衝部材３０を質量体４０上に配置する。そして、規制板３２の雌ネジ３２Ｂに支持ボルト２２の雄ネジ２２Ｂを螺合させ、緩衝部材３０の上面と当接される位置に配置する。
【００４５】
次に、支持ボルト２２の雄ネジ部２２Ｂにパネル受け部材２４の雌ネジ部２４Ｃを螺合させる。そして、支持パネル１５上に下地パネル１４Ａを敷設する。ここで、マイナスドライバを支持ボルト２２の凹部２２Ｍに差し込んで支持ボルト２２を回転させることによって、床スラブ１２からの下地パネル１４Ａの高さを調節する。
【００４６】
次に、下地パネル１４Ａ上に捨張材１４Ｂを敷設し、捨張材１４Ｂ上に仕上げ材１４Ｃを敷設する。このようにして、二重床の床構造１０が構成される。
【００４７】
（作用）
【００４８】
次に、上記の実施形態の作用を説明する。
【００４９】
上階で発せられた床衝撃音（例えば、歩行音等）の振動は、上床材１４からパネル受け部材２４、支持ボルト２２、及び、中間受け部材２０を介してクッションゴム１８へ伝わる。これによって、図４（Ａ）に示すように、クッションゴム１８が圧縮変形し、クッション台座２６が床スラブ１２側へ沈み込む。また、支持ボルト２２に固定された規制板３２も、支持ボルト２２と共に床スラブ１２側へ沈み込む。このとき、質量体４０は、慣性力により、クッション台座２６と離れる方向に相対移動する。これにより、緩衝部材３０は、規制板３２と質量体４０の間で圧縮変形する。このとき、クッション台座２６は、質量体４０と接着されていないので、質量体４０と逆方向に移動でき、クッション台座２６には、引張力が作用しない。
【００５０】
続いて、クッションゴム１８の反力が加わると、図４（Ｂ）に示すように、クッション台座２６は上方へ移動し、質量体４０に押されて圧縮変形する。このように、質量体４０が、クッション台座２６と緩衝部材３０の間で両者を圧縮変形させつつ振動を吸収するように上下動することで、振動を減衰する。
【００５１】
本実施形態によれば、クッション台座２６には、質量体４０から圧縮力のみが作用し、引張力が作用されないので、引張りによる接着部分の剥がれを防止することができる。また、クッション台座２６の引張変形による劣化も抑制することができる。
【００５２】
また、本実施形態では、支持パネル１５と質量体４０の間に、緩衝部材３０を配置しているので、質量体４０がクッション台座２６と離れて支持パネル１５と衝突することを防止しつつ、緩衝部材３０を圧縮変形させて、振動を吸収することができる。
【００５３】
なお、本実施形態では、規制板３２を設けているが、規制板３２は必ずしも必要ではない。特に、規制板３２を設けることにより、緩衝部材３０と支持ボルト２２との相対移動を防止して、効果的に振動を減衰させることができる。また、規制板３２を用いることにより、支持パネル１５と緩衝部材３０との距離を容易に調整することができる。
【００５４】
なお、規制板３２を設けない場合には、図５に示すように、緩衝部材３０が支持パネル１５に当接される厚みとすることにより、緩衝部材３０と支持ボルト２２との相対移動を防止して、効果的に振動を減衰させることができる。
【００５５】
また、本実施形態では、クッション台座２６及び質量体４０は、支持ボルト２２を囲んで配置されているため、支持ボルト２２に沿って弾性変形し、支持ボルト２２に沿って移動することになるので、動吸振の作用が安定する。
【００５６】
また、質量体４０が円柱形状とされているので、同一質量で他の形状の質量体を用いた場合と比較して、水平方向の干渉範囲を狭くすることができる。
【００５７】
また、質量体４０の下面に凹部４２が構成され、凹部４２にクッション台座２６が収納されているので、クッション台座２６の高さ分、床支持具１６の高さを低くすることができる。
【００５８】
なお、本実施形態では、質量体４０を円柱形状とした例について説明したが、質量体は円柱形状に限定されず、角柱など他の形状とすることもできる。
【００５９】
また、緩衝部材３０についても、円柱形状である必要はなく、角柱など他の形状とすることもできる。
【００６０】
また、本実施形態では、床スラブ１２がコンクリート製であるコンクリート床の場合について説明したが、床スラブは、木製等の他の床スラブであってもよい。
【符号の説明】
【００６１】
１０   床構造
１２   床スラブ
１４   上床材
１６   床支持具
１８   クッションゴム
２２   支持ボルト
２６   クッション台座
３０   緩衝部材
３２   規制板
４０   質量体
【図１】
2010203144.tif 000003
【図２】
2010203144.tif 000004
【図３】
2010203144.tif 000005
【図４】
2010203144.tif 000006
【図５】
2010203144.tif 000007